(57)【要約】 【課題】  扉の開閉により外部空間と連通及び遮断できるようにした共有空間構造体を提供すること。【解決手段】  共有空間構造体１の外郭を画定する所定位置から立設した４本のポール３ａ〜３ｄと、これら隣り合うポール３ａ，３ｂ及び３ａ，３ｄないし３ｄ，３ｃそして３ｂ，３ｃの上端にそれぞれ連結したフレーム４１との組み合わせにより共有空間構造体１が構成され、この共有空間構造体１の隣り合うポール３ｂと３ｃとフレーム４１に囲まれた面が、一方のポール３ｂ側に開口Ｒを残してパネル体６により閉塞され、この開口Ｒをガイドレールに沿って移動する移動扉Ｄにより開閉可能に構成されるので、共有空間構造体１が多種の用途に利用できる。【選択図】  図１
2005139802.tif 000002
【特許請求の範囲】
【請求項１】
共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポールとフレームとに囲まれた面が、一方のポール側に開口を残してパネル体により閉塞され、該開口をフレームに設けたレールに沿って移動する扉により開閉可能としたことを特徴とする共有空間構造体。
【請求項２】
前記ポールには上下方向の溝条が設けられ、該溝条に、扉の側部端縁が当接可能な上下方向を向く戸当たり部材が嵌合されて取付けられている請求項１に記載の共有空間構造体。
【請求項３】
前記ポールの上下方向の溝条は、ポールの中心から放射状に複数形成され、パネル体は前記フレームと平行な溝条に嵌合され、前記戸当たり部材は前記フレームと平行な溝条とは平行でない別方向の溝条に嵌合されて取付けられている請求項２に記載の共有空間構造体。
【請求項４】
扉の側部端縁には上下方向に延びる凸条が突設され、戸当たり部材には前記凸条と嵌合可能な上下方向に延びる凹条が設けられている請求項１乃至３のいずれかに記載の共有空間構造体。
【発明の詳細な説明】
【技術分野】
【０００１】
本発明は、共有空間構造体の外郭を画定する所定位置から立設したポールと、隣り合う前記ポールの上端にそれぞれ連結することで、ほぼ水平状態に支持されるフレームとの組み合わせから成る共有空間構造体に関する。
【背景技術】
【０００２】
近年、オフィス等のオープン化を図り、コミュニケーションを活発化させるという目的から、床の所定位置にベース部材を少なくとも３つ設置し、それぞれのベース部材にポールを安定的に立設させ、互いのポールの上端にフレームを係合させ、フレームをほぼ水平状態に支持させることにより、それ以外の外部空間と充分開放された関係で連接している構造体（以下、共有空間構造体と定義する。）を構成したものが知られている（例えば、特許文献１参照）。
【０００３】
【特許文献１】特開２００２−１３８６９３号公報（段落００１１、第１図）
【発明の開示】
【発明が解決しようとする課題】
【０００４】
しかしながら、従来のこのような共有空間構造体は外部と開放された関係で連接しているので、コラボレーションスペースとしては便利であるが、ビジネストークとして使用するような場合には、雑音のシャットアウトとか、商談に集中させるという意味で、時として外部空間と遮断した方が利便性が高い場合もある。
【０００５】
本発明は、このような事情のもとに開発されたもので、扉の開閉により外部空間と連通及び遮断できるようにした共有空間構造体を提供することを目的とする。
【課題を解決するための手段】
【０００６】
上記の目的を解決するために、本発明の請求項１に記載の共有空間構造体は、共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポールとフレームとに囲まれた面が、一方のポール側に開口を残してパネル体により閉塞され、該開口をフレームに設けたレールに沿って移動する扉により開閉可能としたことを特徴としている。
この特徴によれば、レールに沿って移動する扉により共有空間構造体の開口を開閉できるので、共有空間構造体が多種の用途に利用できる。
【０００７】
本発明の請求項２に記載の共有空間構造体は、請求項１に記載のであって、前記ポールには上下方向の溝条が設けられ、該溝条に、扉の側部端縁が当接可能な上下方向を向く戸当たり部材が嵌合されて取付けられていることを特徴としている。
この特徴によれば、扉の側部端縁と当接する戸当たり部材がポールに嵌合できるのでその取付が容易にできる。
【０００８】
本発明の請求項３に記載の共有空間構造体は、請求項２に記載の共有空間構造体であって、前記ポールの上下方向の溝条は、ポールの中心から放射状に複数形成され、パネル体は前記フレームと平行な溝条に嵌合され、前記戸当たり部材は前記フレームと平行な溝条とは平行でない別方向の溝条に嵌合されて取付けられていることを特徴としている。
この特徴によれば、開口を閉塞するパネル体がフレームと同じ向きに取付けることができ、移動する扉の戸当り部材を、放射状に複数形成された溝条を利用して取付けることができる。
【０００９】
本発明の請求項４に記載の共有空間構造体は、請求項１ないし３のいずれかに記載の共有空間構造体であって、扉の側部端縁には上下方向に延びる凸条が突設され、戸当たり部材には前記凸条と嵌合可能な上下方向に延びる凹条が設けられていることを特徴としている。
この特徴によれば、扉を戸当り部に押し当てたとき密閉状態か確実に維持される。
【発明を実施するための最良の形態】
【００１０】
本発明の実施例を以下に説明する。
【実施例】
【００１１】
本発明の実施例を図面に基づいて説明すると、先ず図1は本発明の実施例における共有空間構造体の全体斜視図、図２（ａ）は本発明の共有空間構造体を構成するパネル体の正面図、（ｂ）はパネル板と枠体から成るパネル体の部分分解斜視図、図３はパネル体を構成するコーナ部における部分分解斜視図、図４は共有空間構造体の開口を開閉する移動扉とこの移動扉の開放時に並設される固定のパネル体の縦断面図、図５は共有空間構造体の開口が移動扉によって閉塞された状態を示す水平断面図、図６は共有空間構造体の開口が移動扉によって閉塞された状態であって一部断面を示す下方正面図であり、図７は上部受材と下部受材間にパネル体を組み込む手順を示したもので（ａ）組み込んだ直後の状態を示す断面図、（ｂ）は組み込み後のパネル体定着状態を示す断面図である。
【００１２】
先ず図1には、本発明の実施例としてのパネル体を組合せて構築される共有空間構造体１の全体斜視図が示されており、この共有空間構造体１は、下端にベース部材２を備えた４本のポール３ａ〜３ｄと、これらポール３ａ〜３ｄ間を上端で連結するフレーム４１とを組合せた構造体として構築されている。
【００１３】
フレーム４１はフレーム部材４とその下部に設けた上部受材１４とで構成され、この上部受材１４とポール３ａ〜３ｄの下部に定着した下部受材１８間には、パネル体６が取付けられており、ポール３ａ〜３ｄの基端に設けたベース部材２は、共有空間構造体の外郭を画定する床面７の所定位置に設置され、その底部に設けられた数個のアジャスタ（図示せず）の位置調整により床面が多少変形或いは傾斜していてもベース部材２が常に水平状態を維持できるように構成されている。
【００１４】
ポール３ａ〜３ｄの上端はトップキャップ５が着脱自在に固定されている。このトップキャップはその底部中央に図示しない螺合雄ねじを有し、ポール３ａ〜３ｄの上部中央に形成されている雌ねじ部とネジ結合することにより、ポール３ａ〜３ｄの外周に形成されている溝部９が覆われるようになっている。
【００１５】
更に、ポール３ａ〜３ｄは、本実施例では図５に示すように、放射状に延びる断面略Ｕ字状の８つの溝部９が上下方向に延びており、各溝部９の外方を向く開口９ａの左右両側に、遊端が互いに向き合って離間する左右の係止片１０により溝部９の先端が一部覆われている。本実施例において溝部９は円柱状のポールに形成しているため、比較的多くの溝部９を形成でき、そのためにフレーム４１の取付け方向が選択できる。また、ポール形状は円柱状と限らず、例えば四角柱状のもので４つの溝を形成するようにしたものであってもよい。
【００１６】
このフレーム部材４は、図１に示すように上下に並設した上部フレーム４ａと下部フレーム４ａ’間を複数のリブ４ｂで接続してトラス構造に構成され、上下フレーム４ａ，４ａ’の両端には外側端面に取着部を形成した一対の止着部材（不図示）が設けられ、両止着部材はポール３の溝条９に装着された受け体（不図示）を介して取付けられている。
【００１７】
また、フレーム部材４の下面には、パネル体６の上端縁を取付ける為の上部受材１４が取付けられると共に、ポール３ａ〜３ｄ側面の溝部９には、図５に示すように、パネル体６の側端縁と当接する端部隠蔽部材１６が取付けられている。
【００１８】
更に、図６に示すように、ポール３ｃ下端の溝条９には前記受け体と同じ断面構造で同一機能を有する短尺の受け体１３が挿入されており、この受け体にはボルトＢを介して帯板材をＬ字形に折曲形成したブラケット１５が取付けられている。
【００１９】
このブラケット１５には、パネル体６の下端部を支持するための下部受材１８の一端が取付けられる。この下部受材１８は図１に示すように、移動扉Ｄがあるポール３ｂと３ｃ間を除いて、ポール３ａと３ｂ、ポール３ａと３ｄ、及びポール３ｃと３ｄの下端間にそれぞれその両端が取付けられている。
【００２０】
次に、パネル体６は、図３および図４に示すように、厚板パネル体６と薄板パネル体の２種類用意され、厚板パネル体６は芯材２０ａとその両側に張り合わされた芯材より一回り大きな表面板２０ｂ，２０ｃとからなる３層構造の厚手のパネル板２０で構成され、薄板パネル体（実施例では移動扉Ｄに使用）は薄手のパネル板２０’ａ１枚で構成されており、厚手のパネル板２０と薄手のパネル板２０’は共通の枠体で外周面が保護できるようになっている。
【００２１】
厚手のパネル板２０は、図３に示すように外周端縁に沿って所定深さの嵌合溝Ｍが全周に形成されており、この嵌合溝Ｍには４本の枠体とコーナ連結部材２５が取付けられる。これら４本の枠体は、上下枠体２２ａ，２２ｂと左右の側枠体２４ａ，２４ｂ及びこれら４本の枠体のコーナ部を連結する４つのコーナ連結部材２５とから構成されている。
【００２２】
次に、４本の枠体とコーナ連結部材に付き図２、図３を参照して詳述する。これら４本の枠体の断面構造は、全て同一構造で構成されており、本実施例では上枠体２２ａを中心に説明する。
【００２３】
図２、図３に示すように上枠体２２ａは断面視で平板状の外周部３３と、この外周部３３の左右方向中央から内方に向けて突設し、かつその左右方向中央に内方が開口する溝部４０を有する内周部３６とを備えている。この内周部３６の幅は厚手のパネル板２０の嵌合溝Ｍと丁度嵌合できるよう表面板２０ｂ、２０ｃの内寸法と一致している。一方、内周部３６の溝部４０の幅は、薄板パネル板２０’ａ（図４参照）が嵌合出来る寸法となっている。したがって、上枠体２２ａを含め全ての枠体は、厚手のパネ板２０及び薄板パネル板２０’ａのいずれも組み付けることができる構造となっている。
【００２４】
更に、上枠体２２ａの内周部３６には貫通孔３８が形成され、図２（ｂ）に示すように、この貫通孔３８にはコーナ連結部材２５の連結片２５ａが挿嵌される。また、左右の側枠体２４ａ、２４ｂの外周部３３の左右方向中央には、外方に開口する凹溝Ｇが形成されており、凹溝Ｇの開口側両面には一対の係止溝３４が形成されており、この係止溝３４にはキャップ３７（図５参照）が係合されて凹溝Ｇ全体が閉塞されるようになっている。
【００２５】
更に詳しくは、このコーナ連結部材２５は、正面視矩形状のパネル板２０における４箇所のコーナ部にそれぞれ装着されるもので、パネル板２０外周の４辺に上下枠体２２ａ，２２ｂと左右側枠体２４ａ，２４ｂの端部同士を連結して装着することでパネル板２０の外周縁を保護するための枠体構造が構築されるようになっている。
【００２６】
コーナ連結部材２５の交差する両端には連結片２５ａ，２５ｂが形成され、これらの連結片２５ａ，２５ｂは、上枠体２２ａと左枠体２４ａの両端に形成される角孔３８に嵌入可能に形成されており、嵌入された連結片２５ａ，２５ｂは、各枠体端部の凹溝Ｇ底面に形成された図示しない２つの挿通小孔より挿通したネジ３２を両連結片２５ａ，２５ｂのネジ孔Ｔに螺着することで、上枠体２２ａと左枠体２４ａがコーナ連結部材２５を介して連結される。
【００２７】
このように構成されたパネル体６の上枠体２２ａの左右には、図２の（ａ）に示される一対のＬ字形ブラケット２６が固定される。すなわち、このＬ字形ブラケット２６は、図７の（ａ）に示すように、フレーム部材４下面の上部受材１４と下部受材１８間に、パネル体６を単体または連続してはめ込んだ後、図７（ｂ）に示すように、上部受材１４下面の開口に挿入されたブラケット２６のネジ孔２６ａに上部受材１４の下端側面に形成された挿通孔より挿通したネジを螺着する。また。パネル体６はジャッキボルト２８を調節して、その直下の床面７上に敷設された下部受材１８上面に支持させる。
【００２８】
次に、共有空間構造体の開口Ｒを開閉する移動扉とこの移動扉の開放時に並設されるパネル体との関係に付き図１、図４〜図６を参照して説明する。
【００２９】
図１に示すように、共有空間構造体の外郭を画定する所定位置に立設した４本のポールのうちポール３ｂと３ｃ間には固定のパネル体６と引き戸式の移動扉Ｄとが設置され、移動扉Ｄを開くことにより出入り可能な開口Ｒが形成される。
【００３０】
ポール３ｂ，３ｃ間に配置されるパネル体６は、他のパネル体６と同様の取付け方法により片側がポール３ｃの側面に固定されており、パネル体６直下の床面７の上面にはポール３ｃ下端のブラケット１５に一端が取付けられた下部受材１８がパネル体６の長さに合わせて開口Ｒのところまで敷設され、ジャッキボルト２８により押圧する押圧力により保持される。
【００３１】
次に移動扉Ｄに付き図４、図５を参照して詳述する。
【００３２】
図４において、パネル体６の上部を支持する上部受材１４は、その断面視両側面に開口が形成されており開口の上下端部には突出片が形成され、本実施例では外側下端の突出片を移動扉Ｄのガイドレール１４ａとして使用している。
【００３３】
パネル体６開口側端部における下枠体２２ｂの凹溝Ｇ内にはガイド部材４２の一端が取付けられている。このガイド部材４２は、この凹溝Ｇ内に嵌合可能な嵌合片４２ａが上方に突設すると共に他端側にも移動扉Ｄの下端をガイドすべく上方に突出するガイド片４２ｂが形成されている。
【００３４】
一方、移動扉Ｄは、薄手のパネル板２０’ａが使用されており、このパネル板２０’ａの外周は、前述した枠体と同じように上下枠体２２ａ，２２ｂないし左右の側枠体２４ａ，２４ｂ及びこれら枠体の端部を連結するコーナ連結部材２５に装着されている。移動扉Ｄ両側面に装着された左右の側枠体２４ａ，２４ｂの凹溝Ｇ内に形成された一対の係止溝３４には、外方に突出する凸条が設けられた軟質の合成樹脂から成るキャップ３７が装着されている。
【００３５】
移動扉Ｄの上端に装着された上枠体２２ａ上面の左右には、カバー体４６の内面側に配置されたＬ字形に折曲したブラケット４４が２本のボルトＢを介して固定され、これらのブラケット４４に片持ち支持された支持軸Ｊの端部に滑車４５が回転自在に軸支されている。
【００３６】
移動扉Ｄは、上端において２つの滑車４５を介してガイドレール１４ａによって吊下げ支持されると共に、その下端はガイド部材４２のガイド片４２ｂが下枠体２２ｂの凹溝Ｇに摺動可能に挿嵌して横方向の振れを防止し、且つ移動扉Ｄの開放時には片側のコーナ連結部材２５に当接して開放端を規制している。
【００３７】
空間構造体の開口を形成するポール３ｂ、３ｃの上部にはフレームが架橋され、このフレームと同方向に配置した固定のパネル体６は、図５に示すように、フレームと同方向に延びる溝条９−１に端部隠蔽部材１６を介して当接し、下端は同じ溝条９−１に係止したブラケット１５を介して取付けられた下部受体１８上にジャッキボルト２８を介して支持されており、パネル体６と引き違いに構成されている移動扉Ｄの戸当り部材を他方のポール３ｂのフレームと同方向に延びる溝条９−１には取付けられないので、溝条９−１と平行でない別方向の溝条９−２に、上下方向を向く戸当たり部材４８を取付けている。
【００３８】
この戸当たり部材４８の一端両側には上下方向に向く嵌合溝４８ｂ，４８ｂが形成されており、他端側には上下方向に延びる凹条４８ａが設けられていて、移動扉Ｄが移動する延長線上に対向配置されている。
【００３９】
すなわち、移動扉Ｄが閉じた状態では、図５に示すように移動扉Ｄの片側面に装着した凸条を構成するキャップ３７が戸当たり部材４８の凹条４８ａに嵌合した状態となる。そして移動扉Ｄの側枠体２４ａが戸当たり部材４８の凹条４８ａに当接する際、凹条４８ａを構成する内側の突部４８ａ−１の方が、外側の突部４８ａ−２よりの先に当接できるように構成しておくと、戸当たり部材４８が内方に向かって若干回動するため、密閉度合いが高まる。尚、戸当たり部材４８の凹条４８ａを凸条に、移動扉Ｄ片側面の凸条を凹条に形成しても同一効果が得られることは勿論である。
【００４０】
移動扉Ｄが開放した状態では、開口する床面７上には下部受体１８等の障害物が何も存在しない所謂、バリアフリーを形成することができる。
【００４１】
従って、実施例の構成によれば、共有空間構造体の外郭を画定する所定位置から立設した４本のポール３ａ〜３ｄと、これら隣り合うポール３ａ，３ｂ及び３ａ，３ｄないし３ｄ，３ｃそして３ｂ，３ｃの上端にそれぞれ連結したフレーム４１との組み合わせにより共有空間構造体が構成され、この共有空間構造体の隣り合うポールとフレーム部材とに囲まれた面が、一方のポール側に開口Ｒを残してパネル体６により閉塞され、この開口Ｒをガイドレール１４ａに沿って移動する移動扉Ｄにより開閉可能に構成されるので、共有空間構造体が多種の用途に利用できる。
【００４２】
また、各ポール３ａ〜３ｄには上下方向の複数の溝条が設けられ、これらの溝条の一つに、移動扉Ｄの側部端縁が当接可能な上下方向を向く戸当たり部材４８が嵌合されるので、その取付が容易にできる。
【００４３】
更に、戸当たり部材４８は、フレーム部材４と平行な溝条９−１とは平行でない別方向の溝条９―２に嵌合されて取付けられているので、フレーム部材４と同じ向きに取付けられている固定パネル体６と位相がずれている移動扉Ｄの戸当り部材４８を、放射状に複数形成された溝条より選択して取付けることができる。
【００４４】
そして、移動扉Ｄの側部端縁には上下方向に延びる凸条３７が突設され、戸当たり部材４８には凸条３７と嵌合可能な上下方向に延びる凹条４８ａが設けられているので、移動扉Ｄの閉鎖時には移動扉Ｄの凸条３７と戸当り部材４８の凹条４８ａとの嵌合により密閉状態か確実に維持される。
【００４５】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００４６】
【図１】本発明の実施例１における共有空間構造体の全体斜視図である。
【図２】（ａ）は本発明の共有空間構造体を構成するパネル体の正面図、（ｂ）はパネル板と枠体から成るパネル体の部分分解斜視図である。
【図３】パネル体を構成するコーナ部における部分分解斜視図である。
【図４】共有空間構造体の開口を開閉する移動扉とこの移動扉の開放時に並設される固定のパネル体の縦断面図である。
【図５】共有空間構造体の開口が移動扉によって閉塞された状態を示す水平断面図である。
【図６】共有空間構造体の開口が移動扉によって閉塞された状態であって一部断面を示す下方正面図である。
【図７】上部受材と下部受材間にパネル体を組み込む手順を示したもので（ａ）組み込んだ直後の状態を示す断面図、（ｂ）は組み込み後のパネル体定着状態を示す断面図である。
【符号の説明】
【００４７】
１                      共有空間構造体
２                      ベース部材
３ａ〜３ｄ              ポール
４                      フレーム部材
４ａ                    上部フレーム
４ａ’                  下部フレーム
４ｂ                    リブ
５                      トップキャップ
６                      パネル体
７                      床面
９，９−１，９−２      溝条
９ａ                    開口
１０                    係止片
１３                    受け体
１４                    上部受材
１４ａ                  ガイドレール
１５                    ブラケット
１６                    端部隠蔽部材
１８                    下部受材
２０                    厚手のパネル板
２０ａ                  芯材
２０ｂ，２０ｃ          表面板
２０’ａ                薄板パネル板
２２ａ                  上枠体
２２ｂ                  下枠体
２４ａ                  左側枠体
２４ｂ                  右側枠体
２５                    コーナ連結部材
２５ａ、２５ｂ          連結片
２６                    ブラケット
２６ａ                  ネジ孔
２８                    ジャッキボルト
３２                    ネジ
３４                    係止溝
３６                    嵌入部
３７                    キャップ（凸条）
３８                    貫通孔
４０                    溝部
４１                    フレーム  
４２                    ガイド部材
４２ａ                  嵌合片
４２ｂ                  ガイド片
４４                    ブラケット
４５                    滑車
４６                    カバー体
４８                    戸当たり部材
４８ａ                  凹条
４８ａ−１，４８ａ−１  凹条の突部
４８ｂ，４８ｂ          嵌合溝
Ｂ                      ボルト
Ｄ                      移動扉
Ｇ                      凹溝
Ｊ                      支持軸
Ｍ                      嵌合溝
Ｒ                      開口
Ｔ                      ネジ孔
【図１】
2005139802.tif 000003
【図２】
2005139802.tif 000004
【図３】
2005139802.tif 000005
【図４】
2005139802.tif 000006
【図５】
2005139802.tif 000007
【図６】
2005139802.tif 000008
【図７】
2005139802.tif 000009